(57)【要約】【課題】  人及び小動物に安全でありながら、常に殺菌と消臭がされた環境を実現できる空気清浄器を提供する【解決手段】  空気清浄器において、人又は動物の存在を検出する人感知センサ（２０）と、紫外線源（１２）及びファンモータ（２４）の動作を制御するマイコン（３０）及び紫外線源スイッチ（１４）とを備える。マイコンは、設定時間になったときに、人又は動物の存在を検出しなかったときには、紫外線源及びファンモータを作動開始させ、設定時間になったときに、人又は動物の存在を検出したときには、人又は動物の存在を検出できなくなってから紫外線源及びファンモータを作動開始させ、設定された作動継続時間が経過後に紫外線源及びファンモータを作動停止させる。【選択図】  図３
2007111251.tif 000002
【特許請求の範囲】
【請求項１】
空気を吸い込む入口と、吸い込んだ空気を紫外線照射してオゾンを発生させる紫外線源と、空気を吐き出す出口と、空気を吸い込み吐き出させるファンとを備える空気清浄器において、
人又は動物の存在を検出する人感知センサと、前記空気清浄器の動作を制御する制御手段とを備え、
前記制御手段は、前記人感知センサの出力に基づいて安全を確認した場合にのみ前記空気清浄器を作動開始させ、設定された作動継続時間が経過すると前記空気清浄器を作動停止させることを特徴とする空気清浄器。
【請求項２】
前記制御手段は、設定時間になったときに、前記人感知センサが人又は動物の存在を検出しなかったときには、前記空気清浄器を作動開始させ、前記設定時間になったときに、前記人感知センサが人又は動物の存在を検出したときには、人又は動物の存在を検出できなくなってから前記空気清浄器を作動開始させることを特徴とする請求項１に記載の空気清浄器。
【請求項３】
前記制御手段は、前記設定時間に人又は動物の存在のため前記空気清浄器を作動開始させなかったときで、人又は動物の存在を検出できなくなったときから次の設定時間までの残り時間が設定値未満になったときには、今回の前記空気清浄器の作動を中止することを特徴とする請求項２の空気清浄器。
【請求項４】
前記制御手段は、前記人感知センサによって、人又は動物の存在を検出した後に人又は動物の存在を検出できなくなったときに、前記空気清浄器を作動開始させることを特徴とする請求項１に記載の空気清浄器。
【請求項５】
背面に設けられたプラグをコンセントに差し込むことによって壁面に固定されることを特徴とする請求項１、２、３又は４に記載の空気清浄器。
【請求項６】
内蔵された電気部品及び配線を樹脂でコーティングして防水するとともに、フィルターを備えないことを特徴とする請求項１、２、３、４又は５に記載の空気清浄器。
【発明の詳細な説明】
【技術分野】
【０００１】
本発明は、空気清浄器であって、さらに詳細には、空気を紫外線照射することによりオゾンを発生させ、このオゾンで殺菌と消臭を行う空気清浄器に関する。
【背景技術】
【０００２】
空気に紫外線を照射するとオゾンが発生することは、よく知られている。そして、オゾンは、強力な酸化剤であり、この酸化力により殺菌、消毒、脱臭、漂白及び鎮痛作用を発揮することも知られている。オゾンを発生させるためには、空気の紫外線照射の他にも、空気中での無声放電、電解質膜の電気分解等があるが、空気の紫外線照射が、装置が簡単でコストも安くしかも安全性が高く、最も利用し易い。
【０００３】
空気の紫外線照射で発生させたオゾンを利用した空気清浄器としては、下記非特許文献１及び２に記載されたようなものが知られている。この空気清浄器は、ファンで吸い込んだ空気を紫外線ランプ等の紫外線源で照射してオゾンを発生させ、このオゾンの強力な酸化力で空気の殺菌と消臭を行った後に、残ったオゾンをオゾン分解触媒で酸素に分解して、殺菌と消臭のなされた空気を吐き出すものである。また、この空気清浄器は、電源スイッチを入れてから、所定時間たつとタイマーが働き、電源スイッチが切れるようにもなっていて、有毒なオゾンを必要以上に発生しないようにもしている。
【非特許文献１】新井浩一，渡辺  聰，山本  隆，熊谷知哉：院内感染予防のための脱臭・除菌用オゾン発生装置の試作，日本歯科道具学会誌，No．6，P.34〜36，2000年．
【非特許文献２】新井浩一：歯科材料・器械、第２２巻第２号、Ｐ．１２６、２００３年
【発明の開示】
【発明が解決しようとする課題】
【０００４】
しかしながら、前記非特許文献１および２に開示されたオゾン発生装置および空気清浄器は、人がスイッチをいれてから動作するものであるから、オゾンによる殺菌と消臭が完了するまでは、人は細菌が多く不快な臭いのする環境に耐えなければならないという問題があった。しかし、殺菌と消臭のために、有毒なオゾンを常に製造し続けることは許されないことである。また、オゾンの作業環境基準はオゾン濃度が0.1ppm以下であるが、ペットのような小動物には、このオゾン濃度は危険であるという問題もある。
【０００５】
本発明は、前記問題に鑑みてなされたものであって、人はもちろん小動物にも安全でありながら、常に殺菌と消臭がされた環境を実現できる空気清浄器を提供することを課題とする。
【課題を解決するための手段】
【０００６】
前記課題を解決するため、請求項１に係る発明では、空気を吸い込む入口と、吸い込んだ空気を紫外線照射してオゾンを発生させる紫外線源と、空気を吐き出す出口と、空気を吸い込み吐き出させるファンとを備える空気清浄器において、人又は動物の存在を検出する人感知センサと、前記空気清浄器の動作を制御する制御手段とを備え、前記制御手段は、前記人感知センサの出力に基づいて安全を確認した場合にのみ前記空気清浄器を作動開始させ、設定された作動継続時間が経過すると前記空気清浄器を作動停止させることを特徴とする。
【０００７】
請求項２に係る発明では、請求項１に係る発明において、前記制御手段は、設定時間になったときに、前記人感知センサが人又は動物の存在を検出しなかったときには、前記空気清浄器を作動開始させ、前記設定時間になったときに、前記人感知センサが人又は動物の存在を検出したときには、人又は動物の存在を検出できなくなってから前記空気清浄器を作動開始させることを特徴とする。
【０００８】
請求項３に係る発明では、請求項２に係る発明において、前記制御手段は、前記設定時間に人又は動物の存在のため前記空気清浄器を作動開始させなかったときで、人又は動物の存在が検出できなくなったときから次の設定時間までの残り時間が設定値未満になったときには、今回の前記空気清浄器の作動を中止することを特徴とする。
【０００９】
請求項４に係る発明では、請求項１に係る発明において、前記制御手段は、前記人感知センサによって、人又は動物の存在を検出した後に人又は動物の存在を検出できなくなったときに、前記空気清浄器を作動開始させることを特徴とする。
【００１０】
請求項５に係る発明では、請求項１、２、３又は４に係る発明の空気清浄器は、背面に設けられたプラグをコンセントに差し込むことによって壁面に固定されることを特徴とする。
【００１１】
請求項６に係る発明では、請求項１、２、３、４又は５に係る発明の空気清浄器において、内蔵された電気部品及び配線を樹脂でコーティングして防水するとともに、フィルターを備えないことを特徴とする。
【発明の効果】
【００１２】
請求項１に係る発明の空気清浄器によれば、人又は動物の存在を検出する人感知センサと、前記空気清浄器の動作を制御する制御手段とを備え、前記制御手段は、前記人感知センサの出力に基づいて安全を確認した場合にのみ前記空気清浄器を作動開始させるから、人又は動物のいないときを見計って殺菌と消臭ができる。このため、人はもちろん小動物にも安全でありながら、常に殺菌と消臭がされた快適な環境が得られる。しかも、設定された作動継続時間が経過すると空気清浄器を作動停止するので、有毒なオゾンを過剰に発生させることがなく、このことからも安全である。
【００１３】
請求項２に係る発明によれば、さらに、前記制御手段は、設定時間になったときに、前記人感知センサが人又は動物の存在を検出しなかったときには、前記空気清浄器を作動開始させ、前記設定時間になったときに、前記人感知センサが人又は動物の存在を検出したときには、人又は動物の存在を検出できなくなってから前記空気清浄器を作動開始させるから、定期的に人又は動物のいないときを見計って、殺菌と消臭ができる。このため、人はもちろん小動物にも安全でありながら、常に殺菌消臭された環境をいっそう確実に実現できる。
【００１４】
請求項３に係る発明によれば、さらに、前記制御手段は、設定時間に人又は動物の存在のため空気清浄器させなかったときで、人又は動物の存在を検出できなくなったときから次の設定時間までの残り時間が所定値未満になったときには、今回の空気清浄器の作動を中止するので、有毒なオゾンを過剰に発生させることがなく、いっそう安全である。
【００１５】
請求項４に係る発明によれば、前記制御手段は、前記人感知センサによって、人又は動物の存在を検出した後に人又は動物の存在を検出できなきなったときに、前記空気清浄器を作動開始させるから、人又は動物が入室して室内に細菌等が侵入しても、人又は動物が出ていくと直ちに、空気清浄器を作動させて紫外線及びオゾンによって室内の空気を安全に殺菌消臭できる。このため、人はもちろん小動物にも安全でありながら、常に殺菌消臭された環境をいっそう確実に実現できる。
【００１６】
請求項５に係る発明によれば、さらに、本発明の空気清浄器は、背面に設けられたプラグをコンセントに差し込むことによって壁面に固定されるから、場所を取らずに便利である。
【００１７】
請求項６に係る発明によれば、さらに、本発明の空気清浄器に内蔵された電気部品及び配線を樹脂でコーティングして防水するとともに、フィルターを備えないから、その内部を簡単に水洗いできるようになっていて、メンテナンスが容易である。これに対して、従来の空気清浄器の多くは、HEPAフィルター（0.3μｍまでの微粒子の除去可能）あるいはULPAフィルター（0.15μｍまでの微粒子の除去可能）により、細菌等を除去した後、オゾンで処理する方式であるため、細菌等が、これらのフィルター内に閉じ込められている。従って、時々フィルター交換をしなければならず、メンテナンスが煩わしかった。
【発明を実施するための最良の形態】
【００１８】
以下、図面に基づいて、本発明の空気清浄器の第１実施例を説明する。図１は、この空気清浄器の正面図である。図２は、この空気清浄器の側面図である。図３は、この空気清浄器のブロック図である。図４は、この空気清浄器の動作を説明するフローチャートである。
【００１９】
図１又は図２に示したように、この空気清浄器１０は、その下部に設けられていて空気を吸い込む入口１と、吸い込んだ空気を紫外線照射してオゾンを発生させ、紫外線照射とオゾンの殺菌作用とで空気を殺菌消臭する紫外線源１２と、発生したオゾンを分解して除去するオゾン分解触媒を配置したオゾン分解部４と、オゾンを除去した空気を出口９から吐き出すファン６とを有する。入口１と出口９には、異物侵入を防ぐ格子３が固定されている。また、この空気清浄器１０は、背面に設けられたプラグ７をコンセントに差し込んで、壁面に固定されるとともに、電源を得ることができるようになっている。
【００２０】
さらに、図３に示したように、この空気清浄器１０は、紫外線源スイッチ１４、インバータ１６、電源回路１８、人感知センサ２０、パイロットランプ２２、ファン６を駆動するファンモータ２４、手動スイッチ２６、時間設定つまみ２８Ａ及び継続時間設定つまみ２８Ｂ等のタイマー設定手段、マイクロコンピュータ（以下、マイコンと略記する。）３０及び表示部３８を備える。
【００２１】
紫外線源１２としては、紫外線ランプ、エキシマランプ、紫外線ＬＥＤ（発光ダイオード）等が使用できる。普通の紫外線ランプは、タングステン（Ｗ）電極を備えていて、アルゴン（Ａｒ）ガスと水銀（Ｈｇ）ガスを０．３％程度封入して、内圧を５０ｍｍＨｇ程度とした放電管である。
【００２２】
本実施例で用いる紫外線ランプは、アルゴンガスと水銀ガスの他に、塩化水素（ＨＣｌ）ガス又は沃化水素（ＨＩ）ガスを０．０１％〜０．１％封入するとともに、六硼化ガドリニウム（ＧｄＢ６）の電極を備える。塩化水素ガス又は沃化水素ガスは、赤外線スペクトルを発生させるので、放電管内のガスが速く加熱され、１分以内に所定の安定した放電電流に達して所望のオゾンを発生する。これに対して、従来の紫外線ランプは、所望のオゾンを発生する放電電流に達するまでに数分を要していた。このため、本実施例の紫外線ランプは、省電力を実現できる。ただし、塩化水素ガス又は沃化水素ガスを入れすぎると、放電電圧が高くなって、不経済である。さらに速やかに所定の放電電流に達するようにするには、電極面積を従来のものの５０％〜７５％程度に小さくし、放電管の内圧を２５ｍｍＨｇ〜３５ｍｍＨｇと従来のものよりも低くすることが望ましい。また、六硼化ガドリニウムの電極は、従来のタングステンの電極よりも塩化水素ガス又は沃化水素ガスに冒され難く、放電管を長寿命化させるためのものである。
【００２３】
エキシマランプとは、有毒な水銀を使用しないようにした紫外線ランプで、ハロゲンガス及び不活性ガスを含む無水銀の混合ガスを封入したものである。なお、紫外線源１２として、紫外線ランプやエキシマランプ等の放電管を用いた場合は、放電電流を安定させるために、放電管と直列に安定器（図示省略）を挿入する必要がある。
【００２４】
電源回路１８は、プラグ７から取り入れた電灯線電圧を、インバータ１６、マイコン３０、ファンモータ２４、パイロットランプ２２に供給する低圧直流にするものである。すなわち、電灯線電圧をトランス１８Ａで下げてダイオード１８Ｂで整流し、コンデンサ１８Ｃと抵抗１８Ｄで脈動を取り除いて完全な直流として、各機器に供給している。インバータ１６は、低圧直流を紫外線源１２の作動に必要な電圧まで昇圧するためのものである。もちろん、マイコン３０がインバータを内蔵する場合には、インバータ１６は不要になる。
【００２５】
紫外線源スイッチ１４は、スイッチング用トランジスタ等の半導体スイッチであり、マイコン３０からの指令によってＯＮ、ＯＦＦするものである。紫外線源スイッチ１４には、インバータ１６の他に、パイロットランプ２２とファンモータ２４とが接続されている。パイロットランプ２２は、この空気清浄器１０が動作していて、殺菌と消臭を行っていることを示すものである。
【００２６】
人感知センサ２０は、人又は動物から放射される赤外線を検出することにより、人又は動物の存在を検出するものである。
【００２７】
マイコン３０は、時計を内蔵していて、表示部２８に時間を表示する他、設定時間毎に紫外線スイッチ１４をＯＮとして、紫外線源１２を点灯し、ファン６を回転させて、空気清浄器１０を作動開始させて殺菌消臭を行い、空気清浄器１０の作動開始から設定された作動継続時間が経過すると、紫外線源スイッチ１４をＯＦＦとして、空気清浄器１０を作動停止して殺菌消臭を終了するものである。ただし、人感知センサ２０が人又は動物の存在を検出しているときは、設定時間になった場合にも紫外線源スイッチ１４をＯＮとせずに、人感知センサ２０によって人又は動物の存在を検出できなくなってから、紫外線源スイッチ１４をＯＮとして殺菌消臭を開始し、設定された作動継続時間後に紫外線源スイッチ１４をＯＦＦとして殺菌消臭を終了する。これで、有毒なオゾンを人又は動物がいるときは発生させないようにするとともに、過剰なオゾン発生を防止して、安全を図ることができる。
【００２８】
紫外線源１２とファン６とを作動させる設定時間及び作動継続時間は、時間設定キー２８Ａ及び継続時間設定キー２８Ｂ等のタイマー設定手段によって、殺菌消臭する室の大きさ等に応じて調節できるようにする。この設定時間の間隔が長過ぎたり、作動継続時間が短すぎると、殺菌効果が不充分となり、この設定時間間隔が短過ぎたり、作動継続時間が長すぎると有毒のオゾンの発生量が多くなって危険だからである。時間設定キー２８Ａ又は継続時間設定キー２８Ｂを操作したときは、操作した内容が表示部３８に表示されるようになっていて、それらの操作を容易にしている。
【００２９】
このマイコン３０と前述した紫外線源スイッチ１４によって、この空気清浄器１０の動作を制御する特許請求の範囲に記載の制御手段が構成される。
【００３０】
ところで、この空気清浄機１０は、手動スイッチ２６も備えていて、これを押すと、マイコン３０は強制的に紫外線源スイッチ１４をＯＮにして、殺菌消臭を開始する。ただし、設定された作動継続時間が経過すると、安全のため、紫外線源スイッチ１４をＯＦＦにして、殺菌消臭を終了する。
【００３１】
また、この空気清浄器１０は、フィルターを備えておらず、しかも、図２に示された各電気部品及び配線の全てがシリコーン樹脂又はウレタン樹脂等で完全にコーティングされることによって防水されている。
【００３２】
次に、図４に基づいて、マイコン３０が行う空気清浄器１０の動作すなわち紫外線源１２及びファン６の動作を制御する手順を説明する。
【００３３】
この空気清浄器１０は、プラグ７をコンセントに差し込むと、マイコン３０が動作をスタートし、ステップＳ１に進んで、室の殺菌消臭を行う設定時間になったか否かを判断する。設定時間になっていなければ、ステップＳ１を繰り返す。設定時間になっているときは、ステップＳ２に進んで、人感知センサ２０によって人又は動物の存在を検出する。人又は動物の存在を検出できなければ、ステップＳ３に進んで、紫外線源スイッチ１４をＯＮとし、紫外線源１２を点灯するとともに、ファン６を駆動して、空気清浄器１０を作動開始し殺菌消臭を行う。そして、ステップＳ４に進んで、空気清浄器１０の設定された作動継続時間が経過したか否かを調べる。設定された作動継続時間が未経過の場合は、ステップＳ４を繰り返し、設定された作動継続時間が経過した場合は、ステップＳ５に進んで、紫外線源スイッチ１４をＯＦＦとし、空気清浄器１０を作動停止し、殺菌消臭を終了する。そして、ステップＳ１に戻って、次の設定時間を待つ。これで、設定時間毎に室の殺菌と消臭ができる。
【００３４】
ステップＳ２で、人又は動物の存在を検出したときは、ステップＳ６に進んで、次の設定時間までの残り時間を調べる。残り時間が所定値未満のときは、過剰なオゾン発生を避けるために、ステップＳ７に進んで、今回の殺菌消臭を中止する。この所定値については、図示しないキーによって自由に設定できるようにしてもよいが、設定時間間隔の所定割合（例えば３０％等）に予め設定しておいてもよい。そして、ステップＳ１に戻って、次の設定時間を待つ。
【００３５】
ステップＳ６で、残り時間が所定値以上のときは、ステップＳ８に進んで、人感知センサ２０によって人又は動物の存在を検出する。ここで、人又は動物の存在を検出できなければ、ステップＳ３、Ｓ４及びＳ５に進んで、前述したように設定された作動継続時間だけ殺菌消臭を行った後、ステップＳ１に戻って、次の設定時間を待つ。ステップＳ８で人又は動物の存在を検出したときは、ステップＳ６に戻る。こうして、残り時間が所定値未満になって殺菌消臭を中止するか、人又は動物がいなくなって殺菌消臭を開始できるまで待つ。
【００３６】
本実施例によれば、設定時間になったときに、人又は動物の存在を検出しないときは、空気清浄器１０を作動開始させ、設定時間になったときに、人又は動物の存在を検出したときには、人又は動物が不存在になってから空気清浄器１０を作動開始させるから、定期的に人又は動物のいないときを見計って、安全に室内の殺菌と消臭ができる。このため、室内が常に殺菌消臭されるので快適である。しかも、空気清浄器１０は設定された作動継続時間が経過すると作動停止するので、有毒なオゾンを過剰に発生させることがなく、いっそう安全である。
【００３７】
また、設定時間に人又は動物の存在のため空気清浄器１０を作動させなかったとき、人又は動物の存在を検出できなかったときから次の設定時間までの残り時間が所定値未満になったときには、今回の殺菌消臭を中止するので、有毒なオゾンを過剰に発生させることがなく、いっそう安全である。
【００３８】
さらに、この空気清浄器１０は、背面に設けられたプラグ７をコンセントに差し込むことによって壁面に固定されるから、場所を取らずに便利である。さらに、空気清浄器１０は、フィルターを備えないうえ、その内部の電気部品や配線が完全に防水されているから、その内部に水流を送ることによって、その内部を簡単に水洗いできるようになっていて、メンテナンスが極めて容易である。
【００３９】
次に、本発明の第２実施例について説明する。本実施例は、マイコン３０が、人感知センサ２０によって、人又は動物の存在を検出した後に人又は動物の存在を検出できなくなったときに、空気清浄器１０を作動開始させることと、時間設定キー２８Ａ（図１及び図３参照）が不要なことを除いて、前記第１実施例と同じである。以下に、図５のフローチャートに基づいて、マイコン３０が行う紫外線源１２及びファン６の動作を制御する手順について説明する。
【００４０】
本実施例の空気清浄器１０が動作を開始すると、ステップＳ１１に進んで、人感知センサ２０で人又は動物の存在を検出する。人又は動物の存在を検出できなければ、ステップＳ１１を繰り返す。人又は動物の存在を検出したときは、ステップＳ１２に進んで、人感知センサ２０によって、再び人又は動物の存在を検出する。ここで、人又は動物の存在を検出できれば、ステップＳ１２を繰り返す。ここで、人又は動物の存在を検出できなければ、ステップＳ１３に進んで、紫外線源スイッチ１４をＯＮとし、殺菌消臭を開始する。そして、ステップＳ１４に進んで、空気清浄器１０の設定された作動継続時間が経過したか否かを調べる。設定された作動継続時間が未経過の場合は、ステップＳ１４を繰り返し、設定された作動継続時間が経過した場合は、ステップＳ１５に進んで、紫外線源スイッチ１４をＯＦＦとし、殺菌消臭を終了する。そして、ステップＳ１に戻って、次の設定時間を待つ。
【００４１】
本実施例によれば、人が入室して室内に細菌等が侵入しても、人が出ていくと直ちに、空気清浄器１０を作動させて紫外線及びオゾンによって室内の空気を安全に殺菌消臭できる。このため、室内が常に殺菌消臭されるので快適である。しかも、空気清浄器１０は設定された作動継続時間が経過すると作動停止するので、有毒なオゾンを過剰に発生させることがなく、いっそう安全である。
【００４２】
次に、図６〜図８に基づいて、本発明の第３実施例を説明する。図６は、この空気清浄器の正面図である。図７は、この空気清浄器の側面図である。図８は、この空気清浄器のブロック図である。
【００４３】
図６〜図８に示したように、この空気清浄器１０は、ナイトランプ３２及びナイトライトメインスイッチ３６とを備えるナイトライト３１と一体に構成されており、側面に増設コンセント８を設けていて他の電気機器に電源供給できるようにもなっている。ただし、この空気清浄器１０は、吸い込んだ空気中の塵埃や細菌を除去するフィルター２を備えており、防水はされておらず水洗い可能とされていない。
【００４４】
ナイトランプスイッチ３４は、スイッチング用トランジスタ等の半導体スイッチであり、マイコン３０からの指令によってＯＮ、ＯＦＦするものである。ナイトライトメインスイッチ３６も備えていて、これをＯＦＦにしておくと、常にナイトランプ３２を消灯し、また、ナイトライトメインスイッチ３６をＯＮとしておくと、マイコン３０は、人感知センサ２０によって人又は動物の存在を検出すると、ナイトランプスイッチ３４をＯＮとして、ナイトランプ３２を点灯し、人感知センサ２０によって人又は動物の存在を検出できなくなると、ナイトランプスイッチ３４をＯＦＦとして、ナイトランプ３２を消灯するようにもなっている。このように、人感知センサ２０を空気清浄器１０とナイトライト３１に兼用できるので経済的である。
【００４５】
以上の点を除けば、この空気清浄器１０は、前記第１実施例又は前記第２実施例と同じである。本実施例の場合は、ときどきフィルター２の交換の手間がかかるものの、前記両実施例と同じ効果を奏する。しかも、ナイトライト３１や増設コンセント８を備えていて便利である。
【００４６】
ところで、本発明は、前記実施例のものに限るものではなく、例えば、次のように種々の変形が可能である。
【００４７】
前記第１実施例の空気清浄器１０は、所定の広さの室専用のものとして、予め定められた空気清浄器１０の作動設定時間及び作動継続時間を設定しておき、時間設定キー２８Ａ、継続時間設定キー２８Ｂ及び表示部３８を省いてもよい。同様に、前記第２実施例の空気清浄器１０も、所定の広さの室専用のものとして、予め定められた空気清浄器１０の作動継続時間を設定しておき、時間設定キー２８Ａ、継続時間設定キー２８Ｂ及び表示部３８を省いてもよい。室が広い場合は、空気清浄器１０を複数使用すればよい。
【００４８】
また、前記各実施例のようにして、空気清浄器１０の作動開始時期を決定する必要はなく、空気の汚れを測定して、この汚れが所定値以上になったときに、人感知センサ２０で人又は動物の存在を検出できなければ、空気清浄器１０の作動開始させるようにしてもよい。
【００４９】
さらに、前記各実施例の空気清浄器１０は、人又は動物のいないときにのみ動作するので、オゾンが室内に放出されても問題が少なく、前記各実施例のオゾン分解部４を省いてもよい。この場合は、室内の隅々までオゾンで殺菌消臭されるので、いっそう殺菌消臭の効果がある。室内へ放出されたオゾンは、しばらく時間が過ぎれば換気されてしまうから問題はない。
【００５０】
さらに、前記第３実施例におけるナイトライト３１の代わりに、ガス漏れ報知器、火災報知器、防犯報知器等、適宜な電気機器を組み込んでもよい。
【図面の簡単な説明】
【００５１】
【図１】本発明の第１実施例に係る空気清浄器の正面図である。
【図２】前記空気清浄器の側面図である。
【図３】前記空気清浄器のブロック図である。
【図４】前記空気清浄器の動作を説明するフローチャートである。
【図５】本発明の第２実施例に係る空気清浄器の動作を説明するフローチャートである。
【図６】本発明の第３実施例に係る空気清浄器の正面図である。
【図７】前記空気清浄器の側面図である。
【図８】前記空気清浄器のブロック図である。
【符号の説明】
【００５２】
１    入口
６    ファン
７    プラグ
９    出口
１０    空気清浄器
１２    紫外線源
１４    紫外線源スイッチ（制御手段）
２０    人感知センサ
３０    マイコン（制御手段）
【図１】
2007111251.tif 000003
【図２】
2007111251.tif 000004
【図３】
2007111251.tif 000005
【図４】
2007111251.tif 000006
【図５】
2007111251.tif 000007
【図６】
2007111251.tif 000008
【図７】
2007111251.tif 000009
【図８】
2007111251.tif 000010